(57)【要約】【課題】自動的に検出して電池の電源のオンとオフを行う省エネ機能を備えるとともに、外部接続電源を探す必要がない、電源を内蔵したモバイル・ハイデフィニション・リンク装置を提供する。【解決手段】転送モジュールと、電源モジュールと、電池とからなる。電源モジュールは、転送モジュール内に設けられ、電源モジュールは、外部電源に電気的に接続され、転送モジュール内には電池が設けられ、電池は、電源モジュールと電気的に接続され、電源モジュールは、自動或いは手動切り換えであり、転送モジュール内には転送ユニットが設けられ、転送ユニットは、モバイル機器の信号を表示装置に転送し、転送ユニットは、電源モジュールにデータリンクされ、転送ユニットとモバイル機器の間には、第一インターフェイスが設けられ、転送ユニットと表示装置の間には、第二インターフェイスが設けられる。【選択図】図３
0003175236.tif 000002
【実用新案登録請求の範囲】
【請求項１】
転送モジュールと、電源モジュールと、電池とからなる、電源を内蔵したモバイル・ハイデフィニション・リンク装置であって、
前記転送モジュール内には、検出モジュールが設けられ、
前記電源モジュールは、前記転送モジュール内に設けられ、前記電源モジュールは、前記検出モジュールにデータリンクされ、
前記電池は、前記転送モジュール内に設けられ、前記電池は、前記電源モジュールと電気的に接続されることを特徴とする、電源を内蔵したモバイル・ハイデフィニション・リンク装置。
【請求項２】
前記転送モジュール内には、転送ユニットが設けられ、前記転送ユニットは、スマートフォン或いはタブレットＰＣのモバイル機器の信号をテレビ或いはプロジェクタの表示装置に転送し、前記転送ユニットと前記モバイル機器の間には第一インターフェイスが設けられ、前記転送ユニットと前記表示装置の間には、第二インターフェイスが設けられ、前記第一インターフェイス或いは前記第二インターフェイスは、前記検出モジュールにデータリンクされ、前記転送ユニットは前記電源モジュールにデータリンクされることを特徴とする、請求項１に記載の電源を内蔵したモバイル・ハイデフィニション・リンク装置。
【請求項３】
前記電源モジュールは、自動切り換え或いは手動切り換えの内の一つであることを特徴とする、請求項１に記載の電源を内蔵したモバイル・ハイデフィニション・リンク装置。
【請求項４】
前記電源モジュールは、外部電源に電気的に接続されることを特徴とする、請求項１に記載の電源を内蔵したモバイル・ハイデフィニション・リンク装置。
【考案の詳細な説明】
【技術分野】
【０００１】
本考案はモバイル・ハイデフィニション・リンク装置に関し、特に自動的に検出して電池の電源のオンとオフを行う省エネ機能を備えるとともに、外部接続電源を探す必要がない、電源を内蔵したモバイル・ハイデフィニション・リンク装置（Ｍｏｂｉｌｅ  Ｈｉｇｈ−Ｄｅｆｉｎｉｔｉｏｎ  Ｌｉｎｋ，ＭＨＬ）に関する。
【背景技術】
【０００２】
スマートフォン（Ａｎｄｒｏｉｄシステム）は、その映像とコンテンツを表示装置に伝送して放映する機能を備えている。しかしながら、この機能は、モバイル・ハイデフィニション・リンク装置（Ｍｏｂｉｌｅ  Ｈｉｇｈ−Ｄｅｆｉｎｉｔｉｏｎ  Ｌｉｎｋ，ＭＨＬ）を用いて接続を行う必要があり、市場では、接続を行うためには外部接続電源が必要である。しかしながら、外部接続電源は、見つけにくい時があり、使用者が使用するのに困る場合がある。
【考案の概要】
【考案が解決しようとする課題】
【０００３】
そこで、本考案は、外部接続電源は見つけにくいことがあって、使用者が使用するのに困ることがあるという従来のモバイル・ハイデフィニション・リンク装置の問題点を解決し、自動的に検出して電池の電源のオンとオフを行う省エネ機能を備えるとともに、外部接続電源を探す必要がないという実用進歩性を備えた、電源を内蔵したモバイル・ハイデフィニション・リンク装置を提供することを目的とする。
【課題を解決するための手段】
【０００４】
上述の目的を達成するために、本考案による電源を内蔵したモバイル・ハイデフィニション・リンク装置は、転送モジュールと、電源モジュールと、電池とからなる。電源モジュールは、転送モジュール内に設けられ、電源モジュールは、外部電源に電気的に接続され、転送モジュール内には電池が設けられ、電池は、電源モジュールと電気的に接続され、電源モジュールは、自動或いは手動切り換えであり、転送モジュール内には転送ユニットが設けられ、転送ユニットは、モバイル機器の信号を表示装置に転送し、転送ユニットは、電源モジュールにデータリンクされ、転送ユニットとモバイル機器の間には、第一インターフェイスが設けられ、転送ユニットと表示装置の間には、第二インターフェイスが設けられる。なお、モバイル機器はスマートフォン或いはタブレットＰＣであり、表示装置はテレビ或いはプロジェクタの内の一つである。第一インターフェイスと第二インターフェイスは検出モジュールにデータリンクされ、検出モジュールは電源モジュールにデータリンクされる。
【考案の効果】
【０００５】
上述の構造により、電源モジュールは、自動或いは手動で外部電源と電池を切り換えることができ、転送ユニットがスマートフォンやタブレットＰＣの信号を表示装置に転送した時、転送モジュールは自動的に起動するとともに、電源モジュールが提供する電源を利用し、自動的に検出して電池の電源のオンとオフを行う省エネ機能を達成するとともに、外部接続電源を探す必要がないという利点がある。
【図面の簡単な説明】
【０００６】
【図１】本考案の好ましい実施例の組合せを示した斜視図である。
【図２】本考案の好ましい実施例の構造を示した概略図である。
【図３】本考案の好ましい実施例のブロック図である。
【図４】本考案の好ましい実施例の電池の動作を示した概略図である。
【図５】本考案の好ましい実施例の外部接続電源の動作を示した説明図である。
【図６】本考案の好ましい実施例の充電の動作を示した説明図である。
【考案を実施するための形態】
【０００７】
図１から図３を参照する。図１は、本考案の好ましい実施例の組合せを示した斜視図であり、図２は、本考案の好ましい実施例の構造を示した概略図であり、図３は、本考案の好ましい実施例のブロック図である。図から分かるように、本考案による電源を内蔵したモバイル・ハイデフィニション・リンク装置は、転送モジュール１と、電源モジュール１０と、電池１０１とからなる。電源モジュール１０は、転送モジュール１内に設けられ、電源モジュール１０は、外部電源４に電気的に接続される。転送モジュール１内には電池１０１が設けられ、電池１０１は、電源モジュール１０に電気的に接続される。その内、電源モジュール１０は、外部電源４と電池１０１を自動切り換え、または、手動で切り換えすることができ、転送モジュール１内には転送ユニット１２が設けられ、転送ユニット１２は、モバイル機器２の信号を表示装置３へ転送する。転送ユニット１２とモバイル機器２の間には、第一インターフェイス１３が設けられ、転送ユニット１２と表示装置３の間には、第二インターフェイス１４が設けられる。転送ユニット１２は、電源モジュール１０にデータリンクされる。その内、モバイル機器２は、スマートフォン或いはタブレットＰＣであり、表示装置３は、テレビ、或いは、プロジェクタの内の一つである。その内、第一インターフェイス１３、或いは、第二インターフェイス１４は、検出モジュール１１にデータリンクされ、検出モジュール１１は、電源モジュール１０にデータリンクされる。
【０００８】
上述の構造、組合せによる本考案の使用作動状況について以下に説明を行う。図１、図３、図４、図５、図６を同時に参照する。図１は、本考案の好ましい実施例の組合せを示した斜視図であり、図３は、本考案の好ましい実施例のブロック図であり、図４は、本考案の好ましい実施例の電池の動作を示した概略図であり、図５は、本考案の好ましい実施例の外部接続電源の動作を示した説明図であり、図６は、本考案の好ましい実施例の充電の動作を示した説明図である。図から分かるように、転送ユニット１２が、モバイル機器２（ここではスマートフォン或いはタブレットＰＣを例にとるが、これに限定されるものではない）或いは表示装置３（ここではテレビ、プロジェクタを例にとるが、これに限定されるものではない）に連結された第一インターフェイス１３或いは第二インターフェイス１４の信号を受信した時、検出モジュール１１は、転送ユニット１２を自動的に起動させるとともに、電源モジュール１０が提供する電源を利用する。それにより、電池１０１の電源を節約することができる。また、電源モジュール１０が外部電源４に電気的に接続されていない時は、電池１０１によって電源が供給されるため、急いで外部電源４を探す必要がない。また、電源モジュール１０が外部電源４に電気的に接続されている時は、電源モジュール１０を利用して、外接外部電源４の電源か電池１０１かを手動或いは自動で選択することができ（ここでは、電源モジュール１０は、自動切り換えを例にとる）、外部電源４に接続されていない時は、電源モジュール１０は、電池１０１の電源を優先的に使用し、外部電源４が差し込まれた時、電源モジュール１０は、外部電源４を優先的に採用するとともに、電池１０１に対して充電を行う。また、表示装置３或いはモバイル機器２の信号との連結が切断された時は、外部電源４は電池１０１に対して直接充電することができ、それにより、使用が便利であるとともに、電池１０１の電源を節約することができるメリットがある。
【０００９】
全ての図を参照する。本考案を使用すると、従来の技術と比較して、以下の利点がある。
【００１０】
１、検出モジュール１１は、モバイル機器２（スマートフォン或いはタブレットＰＣ）或いは表示装置３が第一インターフェイス１３或いは第二インターフェイス１４に接続されている時、転送ユニット１２及び電源モジュール１０を自動的に起動させる。それにより、電池１０１の電源を節約することができる。
２、電源モジュール１０が外部電源４に電気的に接続されている時は、外部電源４と電池１０１のどちらで電源を提供するかを、手動或いは自動で選択することができる。
３、電源モジュール１０が外部電源４に電気的に接続されていない時、電池１０１によって電源を供給することができるため、急いで外部電源４を探す必要がなくなる。
４、外部に接続した外部電源４の電源によって電池１０１の充電を直接行うことができるため、電池１０１の電源を節約することができるとともに、使用が便利になるというメリットがある。
【符号の説明】
【００１１】
１      転送モジュール
１０    電源モジュール
１０１  電池
１１    検出モジュール
１２    転送ユニット
１３    第一インターフェイス
１４    第二インターフェイス
２      モバイル機器
３      表示装置
４      外部電源
【図１】
0003175236.tif 000003
【図２】
0003175236.tif 000004
【図３】
0003175236.tif 000005
【図４】
0003175236.tif 000006
【図５】
0003175236.tif 000007
【図６】
0003175236.tif 000008